Podtech/llm-jp-corpus-v4-ja_patent huggingface dataset:
(57)【要約】【課題】アンカーにより少々差し込み穴が大きくなっても抜けることがなく、抜き取る場合は少し力を入れて引き抜くことができ、通常使用では抜けないアンカー付押ピンを提供する。【解決手段】押ピンのピンシャフトにアンカーを設けてなる。【選択図】　図１
2004068558.tif 000002
【特許請求の範囲】
【請求項１】
押ピンのピンシャフトにアンカーを設けてなることを特徴とするアンカー付押ピン。
【請求項２】
アンカーが、ピンシャフトより細く、Ｖ字形に形成してなることを特徴とする請求項１記載のアンカー付押ピン。
【請求項３】
アンカーが、スプリング材で加工してなることを特徴とする請求項１又は２記載のアンカー付押ピン。
【請求項４】
アンカーが、ステンレス線で加工してなることを特徴とする請求項１、２又は３記載のアンカー付押ピン。
【請求項５】
アンカーは、ピンシャフトに設けた孔に挿入して抜けないよう保持してなることを特徴とする請求項１、２、３又は４記載のアンカー付押ピン。
【請求項６】
アンカーは、ピンシャフトの表面に固定してなることを特徴とする請求項１、２、３、４又は５記載のアンカー付押ピン。
【請求項７】
アンカーを、２箇所設けてなることを特徴とする請求項１、２、３、４、５又は６記載のアンカー付押ピン。
【発明の詳細な説明】
【０００１】
【発明の属する技術分野】
本発明は、住宅や事務所などの内装壁に使用する石膏ボードに差し込み、アンカー効果を有するアンカー付押ピンに関するものである。
【０００２】
【従来の技術】
従来の押ピンにはアンカーを設けているものがなく、石膏ボードに押ピンを差した後、押ピンに何かが当った時等、石膏ボードの差し込み穴が大きくなり、抜け落ちてしまうことがある。
【０００３】
【発明が解決しようとする課題】
本発明は、上記の問題点に鑑みなされたもので、その目的はアンカーにより少々差し込み穴が大きくなっても抜けることがなく、抜き取る場合は少し力を入れて引き抜くことができ、通常使用では抜けないアンカー付押ピンを提供するものである。
【０００４】
【課題を解決するための手段】
上記課題を解決するための手段として、押ピンのピンシャフトにアンカーを設けてなること。また、アンカーが、ピンシャフトより細く、Ｖ字形に形成してなること。さらに、アンカーが、スプリング材で加工してなること。アンカーが、ステンレス線で加工してなること。さらにまた、アンカーは、ピンシャフトに設けた孔に挿入して抜けないよう保持してなること。アンカーは、ピンシャフトの表面に固定してなること。その上、アンカーを、２箇所設けてなることを特徴とする。
【０００５】
【発明の実施の形態】
以下に、アンカー付押ピンを図面に基づいて詳細に説明する。
アンカー付押ピン１は、受部２ａと掴み部２ｂとからなる押ピン本体２に突設したピンシャフト３に孔３ａを設け、その孔３ａに挿入し、Ｖ字形に折り曲げて形成し、抜けないように保持してなるアンカー４を設けてなるものである。
なお、アンカー４はスプリング材でステンレス線にて加工してなるもので、一例として、ピンシャフト３の径を１．２ｍｍとし、アンカー４の径を０．１５ｍｍとする。
【０００６】
つぎに、上記アンカー付押ピン１の使用例を下記に述べる。
まず、石膏ボードＳの所要位置にアンカー付押ピン１を押ピン本体２の掴み部２ｂを掴んで押すことにより、ピンシャフト３を石膏ボードＳに突き刺し、そのまま押し込むことにより、アンカー４は折り畳められ石膏ボードＳ内を通過する。
アンカー４が石膏ボードＳを貫通した時点で、そのバネ力にてＶ字形に開き、アンカー効果を有するものである。
【０００７】
なお、アンカー付押ピン１を取り外さなければならなくなった時は、指（図示せず）で掴み部２ｂを掴み、少し力を入れて引くことによりアンカー４が反り返り、そのまま引き抜くことによりアンカー付押ピン１を石膏ボードＳより引き抜くことができるものである。
【０００８】
つぎに、第２実施例のアンカー付押ピンを説明する。
このアンカー付押ピン２１は、ピンシャフト２３の表面にＶ字形のアンカー２４を溶着して固定してなるもので、加工が簡単で、ピンシャフト２３の任意の位置に取り付けられる。
【０００９】
つづいて、第３実施例のアンカー付押ピンを説明する。
このアンカー付押ピン３１は、ピンシャフト３３の表面両側にＶ字形のアンカー３４・３４を溶着にて固定してなるもので、一層アンカー効果を向上させてなるものである。
【００１０】
上記各実施例におけるピンシャフトとアンカーの径及び長さ等は使用する石膏ボードの大きさによって決定すれば良く、アンカー位置も同様である。
また、ピンシャフトやアンカーの材質も、同様な機能を有するものであれば他の材質でも良い。
さらに、アンカーの形状もＶ字形以外も一考である。
【００１１】
【発明の効果】
１）、アンカーを設けることにより、差し込み穴が少々大きくなってもアンカー付押ピンが抜けることなく、所要の位置に確実に保持される。
２）、必要に応じて引き抜く時は、少し力を入れて引き抜くことができる。
３）、ピンシャフトの孔にアンカーを設けるタイプは、引き抜く時に、アンカーが反転しやすいため、比較的引き抜きやすい。
４）、ピンシャフトの表面にアンカーを固定してなる場合は、変形しにくいためアンカー効果が高い。
５）、アンカーを２箇所設けるタイプは、より一層アンカー効果を高めてなるものである。
６）、アンカーの取り付け形態の違いにより、用途を色々選択できる。
【図面の簡単な説明】
【図１】本発明の第１実施例を示すアンカー付押ピンの正面図。
【図２】本発明の第１実施例を示すアンカー付押ピンの平面図。
【図３】本発明の第１実施例を示すアンカー付押ピンを差し込み始めた状態図。
【図４】本発明の第１実施例を示すアンカー付押ピンの差し込み終了時の状態図。
【図５】本発明の第１実施例を示すアンカー付押ピンの引き抜き時の状態図。
【図６】本発明の第２実施例を示すアンカー付押ピンの正面図。
【図７】本発明の第３実施例を示すアンカー付押ピンの平面図。
【符号の説明】
１−−−アンカー付押ピン
２−−−押ピン本体
３−−−ピンシャフト
４−−−アンカー
Ｓ−−−石膏ボード
【図１】
2004068558.tif 000003
【図２】
2004068558.tif 000004
【図３】
2004068558.tif 000005
【図４】
2004068558.tif 000006
【図５】
2004068558.tif 000007
【図６】
2004068558.tif 000008
【図７】
2004068558.tif 000009
(57)【要約】【課題】壁が形成される部位の横架材及び柱を強固に補強する。【解決手段】柱の中心にホールダウンボルトを取付け用途に応じて一方向又は交叉状のピンボルトにより、柱の引き抜きに対する強度が増し、又真壁の下地組が容易に設けられる。【選択図】図２
2004068560.tif 000002
【特許請求の範囲】
【請求項１】
上下に対向する横架材（２，４）間に、多数の柱（３）を左右に所定の間隔をおいて起立配置し、土台より柱ホゾ（３ａ）が引き抜けないように固定したことを特徴とする木造建築物の補強装置。
【発明の詳細な説明】
【０００１】
【発明の属する技術分野】
本発明は木造建築物の補強装置である。
【０００２】
【従来の製品】
従来のホールダウン金物は柱の側面に取り付けられ、柱の引き抜けないように固定されていた。
【０００３】
【発明が解決しようとする課題】
本発明は、ホールダウンを柱の中心に取り付け端の部分に数カ所ピン穴を設け用途に応じて一方向又は、交叉状に３穴、４穴を開け、柱を固定しピンを柱に打ち込み固定し、新規な木造建築物の補強装置を得ることを目的とする。補強装置（１）木板組と併用することにより柱の引き抜きがより強固になるゆえ、真壁の下地組が容易に出来ることを特徴とする木造建築物の補強装置。
【０００４】
【課題を解決するための手段】
本発明は、上記目的を達成するために以下の如く構成したものである。即ち請求項１の発明は、上下に対向する横架材間に多数の柱を左右に所定の間隔を。おいて起立配置し、壁が形成される部位の木造建築物の補強装置（１）木板組の併用により、強固な耐力壁が出来る。
【０００５】
【発明の実施の形態】
以下、本発明の実施の形態に基づいて説明する。図面において、図１は本発明の第１実施例を示す部分正面図、図２は本金物の部分拡大断面図。
【０００６】
図１において、１は基礎コンクリート、２は下部横架材をなす木材製の土台であり、柱３の中心に穴を開け，端に簪状に用途に応じて数個の穴を一方向、又は交叉状の物を固定する。
【０００７】
【発明の効果】
以上説明した如く、請求項１に係る発明は、木造建築物の補強装置（１）木板組との併用により。組立時における、工数が低減することになる。
【図面の簡単な説明】
【図１】本発明の第１実施例を示す部分正面図である。
【図２】本金物の部分拡大断面図である。
【符号の説明】
１　　基礎コンクリート
２　　土台
３　　柱
３ａ　柱ホゾ
４　　桁（梁）
５　　ホールダウン　アンカーボルト
６　　座金付ホールダウンボルト
７　　連結ホールダウンボルト
８　　ピン　ボルト
９　　ピン穴
【図１】
2004068560.tif 000003
【図２】
2004068560.tif 000004
(57)【要約】【課題】本発明は現場等の外部仕事に於いて、突発的な雨から作業場を守る簡易屋根を提供する。【解決手段】繊維素材（１）を裁断して、その端面を癒着し密閉体（２）に形成する、これに逆止弁付エアーバルブ（３）を設け、さらにその端面に複数の固定具（４）を装着してなる、多目的エアーパネル。【選択図】　　図１
2004068555.tif 000002
【特許請求の範囲】
【請求項１】
繊維素材（１）を裁断して、その端面を癒着し密閉体（２）に形成する、これに逆止弁付エアーバルブ（３）を設け、さらにその端面に複数の固定具（４）を装着してなる、多目的エアーパネル。
【発明の詳細な説明】
【０００１】
【発明の属する技術分野】
本発明は、作業現場等外環境に於ける、日除けや、急な雨除けとして、エアーおよびガス等を注入したパネルに関するものである。
【０００２】
【従来の技術】
従来は突然の雨では、シートを被せたり、あるいは簡易テントを設営していた。
【０００３】
【発明が解決しようとする課題】
これは次のような問題点があった。
現場作業中に、急に雨など降り出すと工具類、現場の生コン等作業状態に悪影響をもたらすので、シートを被せたりして作業を中止していた。また、テントを組立てたりしていたが、時間が掛かったり、そのテントの持込が大変であった。
本発明は、これらの問題点を解消する為になされたものである。
【０００４】
【課題を解決するための手段】
ナイロン等の繊維素材（１）を裁断して、その端面を癒着させて密閉体（２）の立方体形状に形成する。これに逆止弁付エアーバルブ（３）を適当なる箇所に機密状態にして装着する。さらに、この密閉体（２）の端面に複数の固定具（４）を設ける。固定具（４）はロープやヒモ類で密閉体（２）を建物の軒下や、付属品の設置パイプ（５）等に固定する為に設ける。
本発明は、以上のような構成よりなる、多目的エアーパネルである。
【０００５】
【発明の実施の形態】
ビニールやナイロン、あるいは新素材等の繊維素材（１）を裁断し、この端面を合わせて癒着させて四角立方体形状の密閉体（２）に形成する。これに空気等を封入する手段として、逆止弁付エアーバルブ（３）を適当なる箇所に機密状態にして装着する。さらにこの密閉体（２）の端面に複数の固定具（４）を設けるこの固定具（４）は、作業現場が建物に接近してる場合は、ロープやヒモ類でその軒下に固定する手段として、また付属品の設置パイプ（５）に固定する手段として設ける。設置パイプ（５）は本発明の支柱として使用される。
【０００６】
【実施例】
本発明は以上のような構造であり、突然の雨等でこれを使用するときには、
小さなケースに折畳まれた密閉体（２）を取出して、逆止弁付エアーバルブ（３）にエアーホース等を接続して、自動車の排気ガスを利用して、瞬時に密閉体（２）を膨らませる。本発明によれば、この膨らんだガス充填済みの密閉体（２）は、薄い四角パネル形状がベストであり、また５ｍ×５ｍパネルでも、ガス等抜いて折畳めば、３０ｃｍ程のケースに収まってしまう。
【０００７】
次に、この充填された密閉体（２）に設けられた固定具（４）に、ヒモ等を通して建物の軒下等に固定し、一方反対側の固定具（４）には設置パイプ（５）の頭部をワンタッチで係止する。これで作業現場全体の屋根として数分で完成する。
また、作業現場の周囲に何もない所では、設置パイプ（５）４本を密閉体（２）の４隅の固定具（４）に係止して建てるだけで、屋根付作業現場になる。
【０００８】
また、不必要になれば逆止弁付エアーバルブ（３）より充填ガスを瞬時に排出させて、固定具（４）のヒモ等を外し、設置パイプ（５）を外して、折畳んでケースに収めて終了する。またその他、密閉体（２）にエアー等を充填する方法には簡易型コンプレッサーや高圧ボンベを利用しても良い。
【０００９】
【発明の効果】
１．軽量で取扱いが簡単な為、極めて短時間で場所問わず誰でも組立てられる。
２．パネル内の空気等、充填ガスを抜けば、小さいケースに収めて保管できる。
３．現場の外仕事の作業場だけでなく、アウトドアーのキャンプや渓流釣りでの屋根として、また床マットとして、さらに浮具やイカダボート等多目的に利用出来る。
４．空気およびガス類が充填されているパネル構造であるから、頑丈であり、突然の大雨でも、雨の重さでシートのように垂れ下がる事が無く、快適作業が出来る。
５．多数の密閉体同士を固定具で連続接続していくだけで、大きな現場敷地でも簡単に屋根付現場にできる。
６．構造がシンプルであるので、大量生産が可能であり、低コストに出来る。
【図面の簡単な説明】
【図１】本発明の斜視図である。
【図２】本発明の折畳図である。
【図３】本発明の実施図である。
【図４】本発明の使用説明図である。
【符号の説明】
１　繊維素材
２　密閉体
３　逆止弁付エアーバルブ
４　固定具
５　設置パイプ
６　雨
【図１】
2004068555.tif 000003
【図２】
2004068555.tif 000004
【図３】
2004068555.tif 000005
【図４】
2004068555.tif 000006
(57)【要約】【目的】この発明は貯水槽に雨水等を貯めておき．後日庭園．菜園等に散水使用する事で水という自然の資源を有効利用し．かつ水道料金を節約できる。【構成】屋根等に降った雨水等を樋を通して貯水槽に貯水しておくものである。【選択図】　　　図１
2004068556.tif 000002
【特許請求の範囲】
【請求項１】
屋根等に降った雨水等を樋をとうして貯水槽に集める
【発明の詳細な説明】
この発明は屋根等に降った雨水等を．樋をとうして給水口（２）より貯水槽（１）に貯め．溢れる前に排水口（３）に接続してある管により排水溝に排水される．貯水槽（１）の水は後日庭木．菜園等の散水として使用す
る事により．水道料金の節約になり．水という資源を有効利用出来る．
貯水槽（１）内部は時々清掃口（５）より清掃する．
放水口（４）は蛇口を付けたりゴムホースを直接付けても良い。
貯水槽（１）は段さを付ける事により．植木鉢等を置き利用出来る．
給水口（２）．排水口（３）．放水口（４）は左右に付けておき．貯水槽
を置いた場所により便利な方を使用する
貯水槽（１）を２個以上使用する時は．１個目の排水口（３）と２個目の排水口（３）を管で接続しておくことにより１個目の貯水槽（１）が溢れ
ると２個目の貯水槽に水が流れ貯水される
【図面の簡単な説明】
【図１】本発明の立面図
【図２】本発明の正面図
【図３】本発明の平面図
【符号の説明】
（１）は貯水槽
（２）は給水口（蓋付き）
（３）は排水口（蓋付き）
（４）は放水口（蓋付き）
（５）は清掃口（蓋付き）
【図１】
2004068556.tif 000003
【図２】
2004068556.tif 000004
【図３】
2004068556.tif 000005
(57)【要約】【課題】壁が形成される部位の横架材及び柱を強固に補強する。【解決手段】上下に対向する横架材（２，４）間に多数の柱（３）を所定間隔をおいて起立配置し、壁が形成される部位の上下横架材（２，４）及び柱（３）の各対面側の長手方向略全域に、互いに対向するＬ型四方枠からなる嵌合枠部を形成し、板材（７ａ，８ａ）を所定ピッチで並列配置した複数組の配列板（７，８）を互いに交叉状に重ね合わせて方形に組付けた組芯材を設けるとともに、横架材（２，４）及び各柱（３）に固定する。【選択図】図２
2004068559.tif 000002
【特許請求の範囲】
【請求項１】
上下に対向する横架材（２，４）間に多数の柱（３）を左右に所定の間隔をおいて起立配置し、壁が形成される部位の上下横架材（２，４）及び左右柱（３）の各対面側の長手方向略全域に、互いに対向するＬ型の鉄製枠に鉄板材を並列配置した複数組の配列鉄板（７，８）を互いに交叉状に重ね合わせて方形に組付けた組芯材（６）を設けるとともに、各横架材（２，４）及び各柱（３）に固定したことを特徴とする木造建築物の補強装置。
【請求項２】
組芯材の外枠に数カ所に穴を設け、ホールダウンアンカーボルト（９）、連結ボルト（１３）、コーチスクリューボルト（１４）などと連結することで柱、桁、梁の引き抜けないように固定したことを特徴とする木造建築物の補強装置。
【発明の詳細な説明】
【０００１】
【発明の属する技術分野】
本発明は木造建築物の補強装置に関するものである。
【０００２】
【従来の技術】
従来の製品は、柱、桁（梁）の接合部四角にプレートを取付け、対角に綱丸棒板で耐力壁を設けていた。
【０００３】
【発明が解決しようとする課題】
上記従来のものは、土台、及び桁、梁と左右の柱で囲まれる空間部の一部にしか存在しないため、補強機能が小さくなるものであった。筋交いは、それぞれ単板あるいは棒材のものを個々に取り付けるようにしていたため、それ自体は柱の姿勢を保持する機能がなく、これらを取り付ける際には、予め各柱を仮筋交いにより所定の姿勢に保持した後に取り付ける必要があった。このため上記従来のものは工数が増大して工期が延引するものであった。本発明は上記不具合を解消した新規な木造建築物の補強装置を得ることを目的とする。
【０００４】
【課題を解決するための手段】
本発明は、上記目的を達成するために以下の如く構成したものである。請求項１の発明は、上下に対向する横架材間に多数の柱を左右所定の間隔をおいて起立配置し、壁が形成される部位の上下横架材及び左右柱の各対面側の長手方向略全域に、板材を所定ピッチで並列配置した複数組の配列板を互いに交叉状に重ね合わせて方形に組付けた組芯材を設けるとともに、前記壁が形成される部位の横架材及び柱で囲まれた空間部に嵌合させるとともに、各横架材及び各柱に固定する構成にしたものである。又、用途に応じて横架材の上端、下端などにパッキン使用で既製物として対応出来る。請求項２の発明は、組芯材枠の外面に略一致させて各横架材及び各柱に固定する構成にしたものである。
【０００５】
【発明の実施の形態】
以下、本発明の実施の形態の図面に基づいて説明する。図面において、図１は本発明の第１実施例を示す部分正面図、図２は図１のＩＩ−ＩＩ線による部分拡大断面図、図３は第１実施例による組芯材の部分拡大正面図、図４は図３の平面図である。
【０００６】
図１において１は基礎コンクリート、２は下部横架材をなす木材製の土台であり、この土台は基礎コンクリート１の上面にボールト締め固定される。該土台２に木材製の柱３の上部に上部横架材をなす木材製の桁（梁）４を取り付ける。
【０００７】
上記土台２、桁４及び柱のうち、壁が形成される部位の土台２及び、桁４と左右の柱３，３の各対面側に。四方枠付組芯材を嵌合させて固定する。
【０００８】
上記四方枠付組芯材は、壁が形成される部位の土台２、桁４、柱３，３によって囲まれた空間部と対応する長方形状となっており、図１〜図４に示すように、２組の第１〜第２配列板（７，８）を互いに交叉状に重ね合わせて形成する。上記空間部の他方の対角線と平行に所定ピッチ並列配置（図１における右上がりに傾斜配列）し、上記間板材（７，８）のピッチは各板材の幅と略同じにすることが望ましいが、強度が高い場合は各板材（７，８）の幅よりも大きいピッチとしてもよい。
【０００９】
上記四方枠と配列板の接合部は溶接とし、配列板同士はピン接合又は溶接接合とする。
【００１０】
上記第１実施例によれば、壁が形成される部位の土台２、桁（梁）４、及び柱３で囲まれた空間部に、これと対応する長方形の組芯材を嵌合させて固定するとともに、強度及び剛性の高い壁が形成される部位の土台２、桁（梁）４、及び柱３の長手方向略全域を補強することとなり柱の倒れ引き抜けに対する補強機能が高くなる。
【００１１】
強度及び剛性の高い四方枠組芯材の縦辺で柱３を起立保持することができるので、組立時に柱３を仮筋交いにより仮保持する必要がなくなる。さらに柱の引き抜き作業等省略することができ工数が低減することになる。
【００１２】
【発明の効果】
以上説明した如く、請求項１に係る発明は、四方枠に板材を所定ピッチで並列配置した複数組の配列板を互いに、交叉状に重ね合わせて方形に組付けた組芯材を設け、この組芯材を壁が形成される部位の横架材及び柱で囲まれた空間部に嵌合固定するようにしたので、強度及び剛性の高い組芯材により上記壁が形成される部位の横架材及び柱を強固に補強することになる。また、請求項２に係る発明は組芯材の縦辺で柱を起立保持することができ、組立時における仮筋交い作業、ホールダウン金物、土台、柱、桁（梁）、連結金物取付作業等を省略または軽減することができ、工数が低減することになる。
【図面の簡単な説明】
【図１】本発明の第１実施例示す部分正面図である。
【図２】図１のＩＩ−ＩＩ綿による部分大断面である。
【図３】第１実施例による組芯材の部分拡大正面図である。
【図４】図３の平面図である
【符号の説明】
１　　基礎コンクリート
２　　土台（下部横架材）
３　　柱
３ａ　柱ホゾ
４　　桁．梁（上部横架材）
５　　Ｌ型四方枠
６　　組芯材
６ａ　溶接又はピン接合
７　　第１配列板
７ａ　鉄板材
８　　第２配列板
８ａ　鉄板材
９　　ホールダウンアンカーボルト
９ａ　ホールダウンボルト受金物
１０　　アンカーボルト
１１　　連結ホールダウン
１２　　固定ボルト
１３　　連結固定ボルト
１４　　固定コーチスクリューボルト
１５　　間柱
１５ａ　間柱
１６　　ボード
【図１】
2004068559.tif 000003
【図２】
2004068559.tif 000004
【図３】
2004068559.tif 000005
【図４】
2004068559.tif 000006
(57)【要約】【課題】現在の木造建築は、主要材料である柱の良いもの（太くて長いもの）の入手が困難で、強度・耐久性において他の建築物より見劣りしていた。又、仮に良い材料が入手できても高価であり経済性に問題があった。【解決手段】木造建築における柱において、厚めの鉄板で断面を十字形等にし、建物の高さに必要な長さの鉄心（１）を有し、この鉄心のあいさ、あいさの四方に木柱（２〜６）をボルト・ナットで強固に取り付け、さらに木柱（２，３）が短い場合、上（２）下（３）の重なり合う部分（２３）を一方を下部を、もう一方は上部を二分の一に加工し密着させ、重なり合う部分をボルト・ナットで鉄心ごと固定し、いかような長さの柱にも対応でき、さらに四方の木柱の重なり合う部分（２３）をずらすことにより飛躍的に強度が増し、建築物の地震等から守る力を飛躍的に増大させ、耐久性も飛躍的に向上する超強力・高耐力柱。【選択図】　図１
2004068569.tif 000002
【特許請求の範囲】
【請求項１】
木造建築における柱において、厚めの鉄板等で断面を十字形にし、建屋の高さに必要な長さの鉄心（１）を備え、この鉄心（１）のあいさ、あいさの四方に木柱（２〜６）をボルト・ナットで取り付け、さらに木柱（２，３）が短い場合、上（２）下（３）の重なり合う部分（２３）を一方は下部を、もう一方は上部を二分の一の厚さに加工し密着させ、重なり合う部分（２３）をボルト・ナットで鉄心（１）ごと固定し、いかような長さの柱にも対応でき、さらに四方の木柱の重なり合う部分（２３）をずらすことにより飛躍的に強度が増し、そして鉄心に梁・軒ゲタ等固定板（７，１９）と基礎板（９）を備え建築物の地震等から守る力を飛躍的に増大させ、耐久性も飛躍的に高めた超強力・高耐力柱。
又、鉄心の断面を丁字形にし、木柱を十字形と同じようにボルト・ナットで取り付けた超強力・高耐力柱。
又、鉄心の断面をＬ時形にし、木柱を十字形と同じようにボルト・ナットで取り付けた超強力・高耐力柱。
【発明の詳細な説明】
【０００１】
【発明の属する技術分野】
この発明は、木造建築における大黒柱、通し柱を比較的安価な材料で飛躍的に強度・耐久性を高めた超強力・高耐力柱。
【０００２】
【従来の技術】
従来の木造建築の大黒柱、通し柱の梁・軒ゲタ等を差し込むところは断面積が小さくなり、大きな力で折れる危険性があった。よって大黒柱等は断面積の大きい太い柱を使用せざるをえなかったが、高価なものになった。又、２階建て以上に対応できる長くて太い柱は入手が困難であった。
【０００３】
【発明が解決しようとする課題】
この発明は、安価な太くない、又長くない柱でも建築物の安全性を落とさず、従来以上の安全性を得ることを目的とした。
【０００４】
【課題を解決するための手段】
この発明は、厚めの鉄板等で断面を十字形・丁字形・Ｌ字形にし建物の高さに必要な鉄心（１）を造り、鉄心のあいさに太くない木柱（２〜６）をボルト・ナットで取り付け、あたかも骨に筋肉が絡みつくようにしたものである。さらに、木柱（２，３）が短い場合、上（２）下（３）の重なり合う部分（２３）を一方は下部を、もう一方は上部を二分の一の厚さに加工し密着させ、重なり合う部分（２３）をボルト・ナットで鉄心ごと固定し、いかような長さの柱にも対応できるようにした。さらに十字形・丁字形の場合、重なり合う部分をずらすようにした。
【０００５】
【発明の実施の形態】
この発明は、厚めの鉄板等で断面を十字形・丁字形・Ｌ字形にし建物の高さに必要な鉄心（１）のあいさに、木柱（２〜６）をボルト・ナットで強固に固定し、さらに木柱（２，３）が短い場合、上（２）下（３）の重なり合う部分（２３）を一方は下部を、もう一方は上部を二分に一の厚さに加工し密着させ、重なり合う部分（２３）をボルト・ナットで鉄心ごと固定し、いかような長さの柱も製作できるようにした。さらに十字形・丁字形の場合、重なり合う部分（２３）をずらすことにより強度を飛躍的に高めることができる。
【０００６】
【実施例】
図２のように、厚めの鉄板等で建物の高さに必要な鉄心（１）を加工し、これに木柱固定穴（２０）を開け、又１階梁・軒ゲタ等固定板（７）、２階梁・軒ゲタ等固定板（１９）を設け、さらに下部に基礎板（９）を設けたものであり、図１（２階柱部でカットした斜視図）のとおり、鉄心（１）のあいさ、あいさの四方に木柱（２〜６）をボルト・ナットで取り付け、さらに木柱（２，３）が短い場合、上（２）下（３）の重なり合う部分（２３）を一方は下部を、もう一方は上部を二分の一の厚さに加工し密着させ重なり合う部分（２３）をボルト・ナットで鉄心（１）ごと固定し、さらに四方の木柱の重なり合う部分（２３）をずらすように施工する。そして基礎板（９）はコンクリート基礎（１２）にアンカーボルト（１３）アンカーボルト止めナット（１４）で強固に固定する。そして１階梁・軒ゲタ等（１０）は７用ホゾ（１７）、１０用固定穴（１６）をあけ１０用ホゾ穴（２２）に挿入し、ボルト・ナットで強固に固定する。又、図３は鉄心の断面を丁字形にした場合で施工したもの、図４は鉄心の断面をＬ字形にした場合で施工したものの例である。
なお、鉄心部は亜鉛メッキなどの防錆塗装をほどこすのが好ましい。
【０００７】
【発明の効果】
昔の木造建築は太い大黒柱、通し柱等をふんだんに使い、強度と耐久性を得ていた。しかし、今日では太く長い柱を入手するのは困難になってきており、入手できたとしても高価で一般住宅に採用するのは難しくなっている。
よって、本発明は木造建築本来の特徴を維持しつつ高強度・高耐久を目指したものである。
その手法として、強度が高く加工が容易で価格が安定している鉄を十字形・丁字形・Ｌ字形の断面にして長い芯を作り、この芯に入手が容易で価格が安い長くない木柱で芯を守るように施工し、鉄の強度と木の粘りを抱き合わせた構造とし、施工が容易で高い強度と長い耐久性を持たせた木造建築を建てることが可能となった。
以上のことから、本発明は経済性に優れ、理論的には３階建て、５階建て、あるいはそれ以上の木造建築をも経済的に、かつ超強力・高耐力で建てることができる。
【図面の簡単な説明】
【図１】鉄心を（１）を十字形にし、２階柱部でカットした斜視図である。
【図２】十字形の鉄心部の斜視図である。（２階建て用）
【図３】鉄心（１）を丁字形にし、２階柱部でカットした斜視図である。
【図４】鉄心（１）をＬ字形にし、２階柱部でカットした斜視図である。
【符号の説明】
１　鉄心
２　木柱Ａ
３　木柱Ａ′
４　木柱Ｂ
５　木柱Ｃ
６　木柱Ｄ
７　１階梁・軒ゲタ等固定板
８　１階梁・軒ゲタ等固定穴
９　基礎板
１０　１階梁・軒ゲタ等
１１　木柱止めボルト
１２　コンクリート基礎
１３　アンカーボルト
１４　アンカーボルト止めナット
１５　木柱止めナット
１６　１０用固定穴
１７　７用ホゾ
１８　超強力・高耐力柱（２階柱部カット図）
１９　２階梁・軒ゲタ等固定板
２０　木柱固定穴
２１　基礎板固定穴
２２　１０用ホゾ穴
２３　重なり合う部分
【図１】
2004068569.tif 000003
【図２】
2004068569.tif 000004
【図３】
2004068569.tif 000005
【図４】
2004068569.tif 000006
(57)【要約】【目的】人間の本能的反射神経による指曲げ動作を利用し、手摺部把握に要する短時間内に親指以外の４指による指掛け作用によって手掌の滑り離脱因を防止する。【構成】手摺部の指先方向端部に親指以外の４指関節の曲げ動作によって鉤指状に指掛状態を構成すべく小径凸状部と指先用凹部とを区画的に形成し、長手方向に節状突部を設け横滑りを防止する。【選択図】　　　　図１
2004068566.tif 000002
【特許請求の範囲】
【請求項１】
水平軸線Ｘ−Ｘ′と垂直軸線Ｙ−Ｙ′とその交点Ｏを中心とし、半径ｌによって外郭線と区域Ａ・Ｂ・Ｃ・Ｄを構成する円または角形状の手摺り横断面において、図１に示すごとく区域Ａに接するＢの上端部を半径ｌ以下の少径外郭曲線で折り返して中心Ｏ点に近接せしめてＢ域を指掛け用凸部とし、Ｏ点に近接した外郭線をＣ・Ｄ間の下部域に転向させることによってＤ域に指掛け用凹部を形成し、更に外郭線Ｃを上部に転向しＡに接続して成る外郭断面構成の指掛け部付き手摺り装置。
【請求項２】
手摺り断面の指掛け用凸部と凹部を手摺り長手方向に区画的に設けた前記特許請求項１記載の手摺り装置。
【発明の詳細な説明】
【０００１】
【発明の属する技術分野】
本発明は安全を優先とする手摺り装置に関する。
【０００２】
【従来の技術】
転倒防止や体位保持に有効な手摺り装置は、手指を用いて手摺り部を把握することにより、その効果が活用される。したがって把握の滑りが転倒等による大きな事故因となる。近時社会の高齢化と共に手摺り設置場所（廊下・階段・風呂場等）での事故が増加している。また楕円・扁平形状手摺りは強度に問題がある。
【０００３】
【発明が解決しようとする課題】
手摺り利用の実態調査によれば、利用者のほとんどが手摺り上面に５指を並べて近接または軽く接触させて移動（手を摺らす）している。したがって突然的に足が滑ったりつまづいたりして体位のバランスが崩れた場合、瞬時に親指を手摺り上面部から下面部に移動させ親指と他の４指間で強力な把握（掌握）を行なうには短いながら時間を要するので、その間に生ずる身体側からの腕引き応力に対応するには先ず親指以外の４指で支えようと４指の反射的曲げ運動（反応）が生ずる。したがってこの短時間内（瞬時）に４指と手摺り部との間に滑り作用が生ずれば把握に到るまでに手指が脱離し体位を支持することができなく転倒することにもなる。この場合手摺り面に水分、石鹸分等が付着している場合は滑り性は更に大となり危険度も増加することから、より安全な手摺り構造が求められる。
【０００４】
【課題を解決するための手段】
本発明は体位保持に有効な手摺り構造として、先ず体位の崩れが生じた場合（足の滑りやつまづき転倒等）、脳よりの危険指示に最も敏感に反応する指先の捕まり曲げ握り行為動作を利用し、手摺り部の指先方向端に曲げた４指部が鉤の手状に掛かり得るよう指掛部を形成することにある。この瞬時的４指の指曲げ握り動作と手摺り部への指掛け作用によれば、４指が滑りによって手摺りより脱離する現象を指関節の曲げ作用によって一時的に抑止し得るので、次に親指を下部に廻し確実な・強力な把握の条件が短時系で構成され、体位保持の目的を達成することができる。更に長手方向の滑り止め対策として手摺り表面の一部または全部に突状部を鍔状・節状に設けることや、指掛用凹凸部を区画的に構成することにより手摺り利用者が掌掛かり・指掛かりを接触感によって認識せしめることとしている。また別の例では指掛部を下部方向としリハビリ用平行棒に用いた場合、上部よりの腕の支えと応力に対し従来の円曲面より平面部を有する図２の構造が手掌部の加圧分布に無理なく４指の運動も行ないやすいことからリハビリ用に適した構造である。
【０００５】
【発明の実施の形態】
本発明の実施例を図について説明すると次のごとくである。図１に示すごとくに構成された手摺りによれば体位確保に必要な手摺りの把握条件である親指を活用した握り作用に到るまでの間に他の４指が滑り把握の機会を失うことのないように先ず本能的な脳よりの危険指示に最も速く反応する４指の曲げ作用を利用し、この滑りを抑制する鉤状指関節形状と指掛部形状との相関によって瞬時的に指滑りを防止するものである。したがってその間に親指での把握条件（親指が手摺り上面から下面まで移動する時間的条件）が成立し、体位保持のために必要な確実な親指活用の把握が咄嗟の場合でも行ない得るのである。手摺り設置場所における転倒事故は年々増加しており、その原因のほとんどは手摺りが滑ったり、そのため把まり損なって転倒したり、いずれも把握行動の遅れによる結果が原因で事故因となることが多い。また転倒による事故は骨折等に繋がる場合が多く、本人の苦痛は当然ながらそれが寝たきり患者へと進行し、治療費のみならず本人・家族の経済的精神的負担は想像を遥かに越える結果ともなり、周辺関係者の人生をも変えてしまう結果を招くのである。
特に高齢社会では手摺りは生活の安全を保守するためには絶対的・常識の範疇で必需設備であるが、現商品の機能はマンネリ化した形状が多く、真の役割目的を重視研究されたものは皆無である。因って今日の手摺り技術を見直し万人の安全を向上すべきより有効有益なる手摺りの新技術が必要である。
【０００６】
【作　用】
このことは手摺りパイプ円径が大きい程また水分や石鹸分が付いていることでも滑り作用の大きくなることが理解できる。本発明においては図１に示すごとき外郭線断面構造によりバランスの崩れる咄嗟の場合、最も速く反応しうる４指の指掛け作用で先ず手の離脱を防ぎ、更に親指を活用した確実な把握動作に移行しうる安全な手摺り構造とその作用過程を説明し対応技術を提示したものである。
【０００７】
【発明の効果】
本発明の手摺り構造によれば多発している手摺りの握り損ない（遅れ）と滑りにより手離れ（滑落）原因の事故が抜本的に改善され、転倒により怪我や事故が減少することになる。したがって国民の健康と介護・医療等経済に資すること絶大な技術である。
【図面の簡単な説明】
【図１】指掛け把握状態を示す断面図
【図２】歩行訓練用平行棒の左右断面図
【符号の説明】
Ｘ−Ｘ′…水平中心軸
Ｙ−Ｙ′…垂直中心軸
Ｏ…軸線交点（中心点）
Ｌ…手摺断面半径長
Ａ…手摺断面の１／４区分
Ｂ…手摺断面の１／４区分
Ｃ…手摺断面の１／４区分
Ｄ…手摺断面の１／４区分
Ｅ…右手把握時の断面図
Ｆ…左手把握時の断面図」
【図１】
2004068566.tif 000003
【図２】
2004068566.tif 000004
(57)【要約】【課題】排雪ダンプに取り込んだ雪を降ろす際、排雪ダンプを前方方向に起こし倒した排雪ダンプを腕を伸ばし上方向に引き上げ排雪していた。この為、作業する人の腰に対して大変な負担がかかっていた。この負担を軽減した支持具を持つ排雪ダンプを提供したい。【解決手段】排雪ダンプの従来の支持具１の下部両サイドに弓状態の半円をえがいた支持具２を取り付ける。【選択図】　　図６
2004068570.tif 000002
【特許請求の範囲】
【請求項１】
腰の負担を軽減する為の支持具を持つ排雪ダンプ支持具
【発明の詳細な説明】
【０００１】
排雪ダンプで除雪する際、排雪ダンプに積んだ雪を降ろす時、このダンプを前方向に倒し、ひっくり返した状態でダンプを上方向に持ち上げ排雪し、腰に負担をかけた姿勢で使用していた。その為に腰の負担を軽減させ得る支持具機能を持つ排雪ダンプ支持具である。
【発明の属する技術分野】
【０００２】
本発明は、ＩＰＣにおけるＥ０２Ｆ３／０２に属する発明である。
【従来の技術】
【０００３】
従来、排雪ダンプで排雪の際、ひっくり返したダンプを持ち上げる時に腰の負担を軽減すべく取り付けられた支持具２を持つ排雪ダンプが無かった。
【発明が解決しようとする課題】
【０００４】
排雪ダンプで排雪する場合、ダンプで雪を取り込み、このダンプを前方向にひっくり返し、そして上方向にダンプを引き上げて排雪していた。この為、腕を伸ばし腰に負担をかける角度でダンプを上面に持ち上げなければなら無かった。この腰の負担を軽減する為の支持具２を持つ排雪ダンプ支持具を提供したい。
【課題を解決するための手段】
【０００５】
排雪ダンプの従来の支持具１の下部両サイドに弓状態の半円をえがいた支持具２を取り付ける。
【発明の実施の形態】
【０００６】
排雪ダンプの従来の支持具１の両サイドに、下部方向に対して半円をえがいた角度でパイプ状の支持具２を取り付ける。このパイプ状の支持具２の半円の角度や大きさは、排雪ダンプの雪を積む部分の底部の角度や深さに近い程ダンプを持ち上げる腕を伸ばさなくても良く、腰に対する負担を軽減できた。
【発明の効果】
この発明の効果で、排雪ダンプに積んだ雪を降ろす際、腕を伸ばさずにダンプを上部に引き上げ雪を降ろす事が出来、腰に対する負担を軽減することに成功した。又、ダンプを地面に置いた場合にこの支持具２の効果で地面から離れた支持具１部分が発生し地面に置いたダンプを持ち上げる際にも腰の負担を軽減することに成功した。
【図面の簡単な説明】
【図１】本発明の支持具２の平面図である。
【図２】本発明の支持具２の正面図である。
【図３】本発明の支持具２の側面図である。
【図４】本発明２を排雪ダンプの支持具１に取り付けた平面図である。
【図５】本発明２を排雪ダンプの支持具１に取り付けた正面図である。
【図６】本発明２を排雪ダンプの支持具１に取り付けた斜視図である。
【符号の説明】
【符号１】排雪ダンプの支持具１である。
【符号２】本発明の支持具２である。
【図１】
2004068570.tif 000003
【図２】
2004068570.tif 000004
【図３】
2004068570.tif 000005
【図４】
2004068570.tif 000006
【図５】
2004068570.tif 000007
【図６】
2004068570.tif 000008
(57)【要約】【課題】局地的な集中豪雨によって、例えば地下鉄構内等に雨水の流入を防止するための簡易止水装置の提供。【解決手段】適度の高さと長さを持ち、中央部から折畳可能な止水枠１，２と、該止水枠１，２の底部と側面の高さ方向に対して止着されているゴムその他柔軟性資材からなるパッキン部材３，４と、前記止水枠１，２の折畳部に設けた連結用のフック部材５とからなる簡易止水装置。【選択図】　　図１
2004068567.tif 000002
【特許請求の範囲】
【請求項１】
適度の高さと長さを持ち、中央部から折畳可能な止水枠１，２と、該止水枠１，２の底部と側面の高さ方向に対して止着されているゴムその他柔軟性資材からなるパッキン部材３，４と、前記止水枠１，２の折畳部に設けた連結用のフック部材５とからなる簡易止水装置。
【請求項２】
前記止水枠１，２の一端部或いは両端部の内側に、ターンバックル６によって摺動可能とした短寸の補助枠７を設け、該補助枠７の移動によって前記止水枠１，２の長さを適度に調整可能とした請求項１記載の簡易止水装置。
【請求項３】
前記パッキン部材３，４は、ゴム製で断面楕円形状の中空体に形成してなる請求項１記載の簡易止水装置。
【発明の詳細な説明】
【０００１】
【発明の属する技術分野】
本発明は、局地的な集中豪雨等によって、例えば地下鉄構内等に雨水の流入を防止するための簡易止水装置に関するものである。
【０００２】
【従来の技術】
従来、集中豪雨時における地下鉄構内への雨水の流入防止策として、地下鉄入口に土のうを積んだり、或いは防潮板を設置したりすることが一般的に行われている。
【０００３】
【発明が解決しようとする課題】
近年、都市部においては、ヒートアイランド現象等によって局地的な集中豪雨が発生し易く、この場合に雨水が地下鉄構内或いは地下駐車場等に流入するケースが多発している。
このような場合は、地下鉄入口に土のうを積んで雨水の流入を防止することがあるが、土のうの持運び及び積重作業等に手間がかかり、緊急時の対策としては作業性に問題があるばかりでなく、土のうの管理或いは使用後における土のうの処分等が面倒である。
又、従来使用されている防潮板は、高さが非常に高く、利用者特に女性客等には通行が困難となるばかりでなく、重量があって一人で扱うことがむずかしく、緊急時の対応に難点がある。
本発明は、高さも低く、取扱いも便利であって、一人でも簡易且つ迅速に設置し得る緊急時の対策としては極めて有益な簡易止水装置の提供を目的としたものである。
【０００４】
【課題を解決するための手段】
本発明は、前記の目的を達成する手段として、適度の高さと長さを持ち、中央部から折畳可能な止水枠１，２と、該止水枠１，２の底部と側面の高さ方向に対して止着されているゴムその他柔軟性資材からなるパッキン部材３，４と、前記止水枠１，２の折畳部に設けた連結用のフック部材５とからなり、前記止水枠１，２の一端部或いは両端部の内側に、ターンバックル６によって摺動可能とした短寸の補助枠７を設け、該補助枠７の移動によって前記止水枠１，２の長さを適度に調整可能とし、前記パッキン部材３，４は、ゴム製で断面楕円形状の中空体に形成した。
【０００５】
【発明の実施の形態】
本発明の具体的な構成を図にもとづいて説明すると、止水枠１，２は、ステンレス製であって、高さが約１０ｃｍ程度であり、断面コ型の枠体からなり、中央部の折畳部分に連結用のフック部材５があり、左右の止水枠１，２を展開した際に該フック部材５を係着することによって止水枠１，２が一直線に固定されるようになり、又、止水枠１，２は持運びの便益に供するため２カ所に把持杆８が付設されている。又、止水枠１，２は二ツ折りにしてあるが、これに限定する必要はなく、三ツ折り或いはそれ以上に折畳むことも可能であって、この場合に折畳部分には夫々前記同様にフック部材を付設するようになる。
【０００６】
つぎに、止水枠１，２の底部と側面の高さ方向にゴム製のパッキン部材３，４を止着してあり、このパッキン部材３，４は断面楕円形状の中空体に形成してあり、又、止水枠１，２のうち一方の止水枠２の一端部内側には、同形状で短寸の補助枠７があり、該補助枠７はターンバックル６によって左右に摺動可能になっており、止水枠２の長さを調整し得るようになっている。
【０００７】
而して本発明は、例えば地下鉄入口の袖壁の内側に密接するようにセットするものであるが、左右の止水枠１，２を半折り状態にしておき、この状態で該止水枠１，２が直線状になるように押圧展開するように操作すると、両端部が袖壁の内側に圧接するようになって簡便に設置することが可能となるものである。
又、補助枠７の移動によって若干の寸法誤差は充分に補修可能となり、袖壁の内側に密着した状態でセットすることができるものである。
【０００８】
【発明の効果】
本発明は、止水枠１，２を中央部から折畳可能としたもので、前記要領で袖壁の内側及び接地面にパッキン部材３，４が密接するようにセットすることが可能となり、地下鉄構内等の内部に対する雨水の流入を充分に阻止し得るばかりでなく、高さも適度の高さ（約１０ｃｍ程度）からなっており、女性客等でこれを容易に跨ぐことが可能であって通行に何等支障をきたすことがなく、内部への通行が保障され、又、比較的コンパクトで一人でも素早く設置することができ、緊急対策として非常に便利であり、更にパッキン部材３，４は柔軟性を有し且つ内部が中空体であるために止水枠１，２を圧接するようにセットするとパッキン部材３，４が圧縮した状態となって適度の弾性が作用し、接地面及び壁面への密接度が高くなり、充分な漏水防止効果が得られる利点を有し、加えて、補助枠７の移動によって若干の寸法誤差も充分に吸収可能となり、緊急対策用の止水装置として極めて有益な製品の提供が可能となるものである。
【図面の簡単な説明】
【図１】本発明に係る簡易止水装置の斜視図
【図２】アジャスト部分を示す正面図
【図３】同上Ａ−Ａ線断面図
【図４】折畳部分の図面図
【図５】使用状況を示す平面図
【符号の説明】
１，２　止水枠
３，４　パッキン部材
５　フック部材
６　ターンバックル
７　補助枠
【図１】
2004068567.tif 000003
【図２】
2004068567.tif 000004
【図３】
2004068567.tif 000005
【図４】
2004068567.tif 000006
【図５】
2004068567.tif 000007
(57)【要約】【課題】新設時の排水路の内面を補強しながら、排水路の内面から植物が発芽できるようにして自然に富んだ排水路が得られるようにする。また、安価にして敷設作業が容易にできるようにする。【解決手段】強度を有する植物により細長い桟部材（２，３）を多数設け、各桟部材（２，３）を所定の間隙を有する格子状に組んで側溝の内面に沿う溝形に形成する。【選択図】　　　　図１
2004068530.tif 000002
【特許請求の範囲】
【請求項１】
強度を有する植物により細長い桟部材（２，３）を多数設け、各桟部材（２，３）を所定の間隙を有する格子状に組んで側溝の内面に沿う溝形に形成したことを特徴とする側溝用枠体。
【請求項２】
各桟部材（２，３）は竹材により形成したことを特徴とする請求項１記載の側溝用枠体。
【請求項３】
各桟部材（２，３）を所定の間隙を有する格子状に組んで側溝の側面に沿う側枠（１ｃ，１ｄ）及び底面に沿う底枠（１ｂ）を形成し、前記底枠（１ｂ）の両側に前記側枠（１ｃ，１ｄ）を回動可能に連結し、各側枠（１ｃ，１ｄ）の上部に両者を所定の間隔を保持して連結する連結具（５）を設けたことを特徴とする請求項１又は２記載の側溝用枠体。
【発明の詳細な説明】
【０００１】
【発明の属する技術分野】
本発明は、公園、林道等、自然環境を重んじる箇所に敷設する側溝用枠体に関するものである。
【０００２】
【従来の技術】
従来は、コンクリートにより溝形の側溝用枠体を形成し、これを地面に穿った排水路に敷設するようにしていた。
【０００３】
【発明が解決しようとする課題】
上記従来のものは、排水路の内面がコンクリートによって覆われるため、植物の成育が阻止され、虫、小魚等が成育できないものであった。また、コンクリート製の側溝用枠体は重量が大きく、敷設作業に手数及び労力を要するとともに、材料費が嵩むものであった。本発明は、上記不具合を解消した新規な側溝用枠体を得ることを目的とする。
【０００４】
【課題を解決するための手段】
本発明は、上記目的を達成するために以下の如く構成したものである。即ち、請求項１に係る発明は、強度を有する植物により細長い桟部材を多数設け、各桟部材を所定の間隙を有する格子状に組んで側溝の内面に沿う溝形に形成する構成にしたものである。
請求項２に係る発明は、上記各桟部材を竹材により形成したものである。
請求項３に係る発明は、上記各桟部材を所定の間隙を有する格子状に組んで側溝の側面に沿う側枠及び底面に沿う底枠を形成し、前記底枠の両側に前記側枠を回動可能に連結し、各側枠の上部に両者を所定の間隔を保持して連結する連結具を設ける構成にしたものである。
【０００５】
【発明の実施の形態】
以下本発明の実施の形態を図面に基いて説明する。図面において、図１は本発明の第１実施例を示す斜視図、図２は本発明による側溝用枠体の敷設状態を示す斜視図、図３は本発明の第２実施例を示す斜視図である。
【０００６】
図１において、１は側溝用枠体であり、強度を有する植物、例えば竹材により多数のたて桟２及び横桟３を形成し、これらを格子状に編んで側溝の内面に沿う溝形に形成してなる。即ち、長さ約２０００ｍｍのたて桟２と長さ約１１５０ｍｍの横桟３とを約１５０ｍｍのピッチで平坦な井桁状に編み、次いで各横桟３の両側を約４５度の角度で上方に折り曲げることにより、底幅Ｗ１が約３００ｍｍ、上幅Ｗ２が約９００ｍｍ、高さＨ１が約３００ｍｍ、長さＬ１が約２０００ｍｍとなる上開き溝形の枠主体１ａを形成する。なお、上記各寸法、及び枠主体１ａの溝形形状は、地面に掘った排水路１０（図２）の形状に合わせて適宜設定する。
【０００７】
次いで、上記枠主体１ａの両側上縁に断面半円弧状に割った竹製の縁部たて桟４，４を連結し、これら各縁部たて桟４，４の前後部に長さＷ３が約１２００ｍｍのクロス桟（連結具）５，５を渡架してその両端部を各縁部たて桟４，４に連結し、上記枠主体１ａを保形する。このクロス桟５，５も断面半円弧状に割った竹材により形成し、その左右両端は枠主体１ａから左右方向に突出させる。なお、上記各たて桟２及び各縁部たて桟４の前後両端部２ａ，４ａは、前後端部の横桟３ａ，３ｂに対して前方及び後方に約１００ｍｍ突出させ、前後方向に隣接する側溝用枠体１，１同士の重なり部とする。
【０００８】
上記の如くして形成した側溝用枠体１は、図２に示すように、地面に掘った排水路１０内に順次配列収容するとともに、その前後両端部２ａ，４ａを互いに重ね合わせて上記排水路１０の内面、つまり両側及び底面を覆う。これにより、排水路１０の両側及び底面を補強するとともに、該両側及び底面に所定の開放部を発生させ、この開放部から植物が発芽できるようにする。
【０００９】
図３は第２実施例を示す。図３において、１−１は側溝用枠体であり、該枠体１−１は、竹材製のたて桟２及び横桟３を井桁状に編んで底枠１ｂ、左側枠１ｃ及び右側枠１ｄを個別に形成し、上記底枠１ｂの左右両側に左右の側枠１ｃ，１ｄを回動可能に連結して枠主体１ａを形成する。次いで、上記左右の側枠１ｃ，１ｄを矢印Ａで示すように、上方に回動させ、両者の上端部をクロス枠５により連結して、上記枠主体１ａを所定形状の溝形に保形する。その他は第１実施例と略同様となっている。
【００１０】
上記第２実施例によれば、異なった大きさの底枠１ｂ及び各側枠１ｃ，１ｄを適宜選択することによって、また、各側枠１ｃ，１ｄの回動角度を調節することによって種々の排水路に対応させることができる。なお、本発明による側溝用枠体１（１−１）は、竹材の他につる科植物、木材等により形成してもよい。
【００１１】
【発明の効果】
以上の説明から明らかな如く、本願に係る発明は、側溝用枠体を強度を有する植物により格子状に組んで形成したので、新設時の排水路の内面を補強し、崩れを防止することができるとともに、該排水路の内面に所定の開放部が発生してこの部から植物が発芽できることになる。また、植物が成育して該植物の根により排水路の内面が補強された後は、側溝用枠体が径年劣化により腐食して消滅することになり、自然に富んだ排水路が形成されることになる。
また、植物製の側溝用枠体は軽量のため、運搬及び敷設作業が容易となり、特に竹材により形成すると、消費量の低下しがちな竹材を有効に活用できることになる。
また、底枠及び各側枠を個別に形成してこれらを回動可能に連結し、各側枠を連結具により連結するようにすると、種々の排水路に容易に対応させることができる。
【図面の簡単な説明】
【図１】本発明の第１実施例を示す斜視図である。
【図２】本発明による側溝用枠体の敷設状態を示す斜視図である。
【図３】本発明の第２実施例を示す正面図である。
【符号の説明】
１（１−１）　　側溝用枠体
１ａ　　枠主体
１ｂ　底枠
１ｃ　左側枠
１ｄ　右側枠
２　　たて桟
２ａ　端部
３　　横桟
４　　縁部たて桟
４ａ　端部
５　　クロス桟
【図１】
2004068530.tif 000003
【図２】
2004068530.tif 000004
【図３】
2004068530.tif 000005